(57)【要約】【課題】美容マッサージ機において、施療子間で顔面を強く挟み込むことにより、使用者の顔面を確実に美容マッサージする。【解決手段】本発明の美容マッサージ機１は、使用者Ｍが把持可能な把持部２ａを備えた本体部２と、本体部２の反把持部側から外方に向かって突出状に設けられたアーム部材７と、アーム部材７の先端側に設けられ且つ施療部上を回転して移動することで施療部の美容マッサージを行う施療子４とを備えた美容マッサージ機１において、本体部２の内部には、施療子４を互いに近接離反させるために、アーム部材７を揺動させる揺動機構２０が設けられている。【選択図】図２
2015000228.tif 000002
【特許請求の範囲】
【請求項１】
使用者が把持可能な把持部を備えた本体部と、前記本体部の反把持部側から外方に向かって突出状に設けられたアーム部材と、前記アーム部材の先端側に設けられ且つ施療部上を回転して移動することで前記施療部の美容マッサージを行う施療子とを備えた美容マッサージ機において、
前記本体部の内部には、前記施療子を互いに近接離反させるために、前記アーム部材を揺動させる揺動機構が設けられていることを特徴とする美容マッサージ機。
【請求項２】
前記揺動機構は、前記本体部の内部に設けられていて、
前記揺動機構は、駆動モータによって回転駆動される回転駆動軸と、
前記回転駆動軸の回転運動を前記アーム部材の揺動運動に変換する運動変換部と、を備えている
ことを特徴とする請求項１に記載の美容マッサージ機。
【請求項３】
前記運動変換部は、
前記回転駆動軸と同軸で回転するボス部と、
一方側端部が前記ボス部の径外方向にオフセットされた位置で前記回転駆動軸と平行な軸心回りに回動自在に設けられ、且つ他方側端部にアーム部材の基端部が嵌り込んでいる連結部材と、
前記ボス部の回転運動に伴う前記アーム部材の供回りを抑制する供回り止め部と、
を有していることを特徴とする請求項２に記載の美容マッサージ機。
【請求項４】
前記供回り止め部は、アーム部材の基端部が摺動自在に嵌り込む案内レールを有しており、前記案内レールは、前記ボス部の径外方向を向くように配備されていることを特徴とする請求項３に記載の美容マッサージ機。
【請求項５】
前記運動変換部は、左右一対に設けられており、左右に設けられた前後方向を向く回転駆動軸は、前方側の離間距離が後方側の離間距離より大きくなるように平面視Ｖ字型に配備されている
ことを特徴とする請求項２〜４のいずれかに記載の美容マッサージ機。
【請求項６】
前記アーム部材は、前記本体部の反把持部側から外方突出状に設けられた第１アームと、前記第１アームの先端側から屈曲状に延び且つ施療子を回転自在に支持する第２アームと、を有しており、
前記第１アームと第２アームとが、９０°より大きく１８０°未満の交差角で屈曲していることを特徴とする請求項１〜５のいずれかに記載の美容マッサージ機。
【請求項７】
前記施療子が第２アームの先端に着脱自在に取り付けられていることを特徴とする請求項６に記載の美容マッサージ機。
【発明の詳細な説明】
【技術分野】
【０００１】
本発明は、使用者の顔面などに対して美容マッサージを行うことができる美容マッサージ機に関する。
【背景技術】
【０００２】
従来から、使用者の顔面などに対してマッサージローラを押し付けながら回転させることにより美容マッサージを行う美容ローラが知られている。
例えば、特許文献１には、使用者が把持しやすいように棒状に形成された把持部と、把持部から伸びるＹ字状の二股杆と、二股杆の先端に設けられたマッサージローラ部とを備えた美顔ローラ（美容マッサージ機）が開示されている。この特許文献１の美顔ローラでは、マッサージローラ部は二股杆の先端に対して回転自在に設けられており、使用者の顔面にマッサージローラ部を押し付けながら転動させることができるようになっており、この転動するマッサージローラ部により使用者の顔面をマッサージできるようになっている。
【０００３】
また、特許文献２には、握り持つことが可能な本体と、この本体の端部に設けられた支持軸にローラを備えた美容／健康ローラが開示されている。この特許文献２の美容／健康ローラでは、ローラは、支持軸に対してラジアル軸受及びスラスト軸受を介して取り付けられており、これらの軸受により支持軸に対して軸方向に移動を規制された状態で回転できるようになっている。それゆえ、特許文献２の美容／健康ローラでも、特許文献１と同様に使用者の顔面をマッサージすることができる。
【先行技術文献】
【特許文献】
【０００４】
【特許文献１】特開２０１２−１０５７０１号公報
【特許文献２】特開２０１２−８１１６８号公報
【発明の概要】
【発明が解決しようとする課題】
【０００５】
ところで、上述した特許文献１及び特許文献２の美容ローラは、使用者が顔面にマッサージローラ部を押し付けて、このマッサージローラ部を顔面に沿って転がすことによりマッサージを行うものである。つまり、上述した美容ローラは、美容ローラ自体を使用者により移動させ、その移動操作を駆動力としてマッサージローラ部を回転させる構成となっている。そのため、十分なマッサージ効果を得るためには、美容ローラを頻繁に往復させる等の移動操作が必要であり、使用者によってはマッサージの強さが弱く、顔面の血行改善や老廃物の除去に十分な効果が得られなくなる虞があり、満足がいく美容効果を得ることができなくなる可能性大である。
【０００６】
本発明は、上記の事情を鑑みてなされたものであり、施療子を施療部に沿って転がすと共に、施療子間で顔面を挟み込むことにより、使用者の顔面を適切に美容マッサージすることができる美容マッサージ機を提供することを目的とする。
【課題を解決するための手段】
【０００７】
前記目的を達成するために、本発明は次の手段を講じた。
すなわち、本発明に係る美容マッサージ機は、使用者が把持可能な把持部を備えた本体部と、前記本体部の反把持部側から外方に向かって突出状に設けられたアーム部材と、前記アーム部材の先端側に設けられ且つ施療部上を回転して移動することで前記施療部の美容マッサージを行う施療子とを備えた美容マッサージ機において、前記本体部の内部には、前記施療子を互いに近接離反させるために、前記アーム部材を揺動させる揺動機構が設けられていることを特徴とする。
【０００８】
好ましくは、前記揺動機構は、前記本体部の内部に設けられていて、前記揺動機構は、駆動モータによって回転駆動される回転駆動軸と、前記回転駆動軸の回転運動を前記アーム部材の揺動運動に変換する運動変換部と、を備えているとよい。
好ましくは、前記運動変換部は、前記回転駆動軸と同軸で回転するボス部と、一方側端部が前記ボス部の径外方向にオフセットされた位置で前記回転駆動軸と平行な軸心回りに回動自在に設けられ、且つ他方側端部にアーム部材の基端部が嵌り込んでいる連結部材と、前記ボス部の回転運動に伴う前記アーム部材の供回りを抑制する供回り止め部と、を有しているとよい。
【０００９】
好ましくは、前記供回り止め部は、アーム部材の基端部が摺動自在に嵌り込む案内レールを有しており、前記案内レールは、前記ボス部の径外方向を向くように配備されているとよい。
好ましくは、前記運動変換部は、左右一対に設けられており、左右に設けられた前後方向を向く回転駆動軸は、前方側の離間距離が後方側の離間距離より大きくなるように平面視Ｖ字型に配備されているとよい。
【００１０】
好ましくは、前記アーム部材は、前記本体部の反把持部側から外方突出状に設けられた第１アームと、前記第１アームの先端側から屈曲状に延び且つ施療子を回転自在に支持する第２アームと、を有しており、前記第１アームと第２アームとが、９０°より大きく１８０°未満の交差角で屈曲しているとよい。
好ましくは、前記施療子が第２アームの先端に着脱自在に取り付けられているとよい。
【発明の効果】
【００１１】
本発明に係る美容マッサージ機によれば、施療子を施療部に沿って転がすと共に、施療子間で顔面を挟み込むことにより、使用者の顔面を適切に美容マッサージすることができる。
【図面の簡単な説明】
【００１２】
【図１】本発明の美容マッサージ機の使用状態を示した図である。
【図２】第１実施形態の美容マッサージ機の前方斜視図である。
【図３】第１実施形態の美容マッサージ機の上方斜視図である。
【図４】第１実施形態の美容マッサージ機の施療子の拡大図である。
【図５】第１実施形態の美容マッサージ機の内部構造を示した図である。
【図６】第１実施形態の美容マッサージ機の内部構造の上方斜視図である。
【図７】第１実施形態の美容マッサージ機の内部構造の下方斜視図である。
【図８】第１実施形態の美容マッサージ機の内部構造の平面図である。
【図９】第２実施形態の美容マッサージ機の内部構造を示した図である。
【図１０】第２実施形態の美容マッサージ機の内部構造の底面断面図である。
【発明を実施するための形態】
【００１３】
以下、本発明に係る美容マッサージ機１について、図を基に説明する。
［第１実施形態］
図１に示すように、本実施形態の美容マッサージ機１は、使用者Ｍが自らの施療部（例えば、顔面や首筋）に対して施療子４（マッサージローラ部）を押し付け、美容マッサージ機１を例えば上下に往復移動させることで顔面に沿って施療子４を回転させ、美容マッサージを可能とするものである。係る美容マッサージ機１で美容マッサージを行えば、顔面の皮膚が引き締められると共に皮膚下の血行が促進され、顔面のむくみや老廃物が取り除かれるので、顔面をスリムに整えたり、健康的で美しい肌を得ることが可能となる。
【００１４】
図２、図３に示すように、本実施形態の美容マッサージ機１は、使用者Ｍが把持可能な把持部２ａを備えた本体部２と、この本体部２の反把持部側から外方に向かって突出状に設けられたアーム部材７と、このアーム部材７の先端側に設けられ且つ使用者Ｍの顔面（施療部）上を回転して移動することで顔面の美容マッサージを行う施療子４（マッサージローラ部）と、を備えている。この本体部２の内部には、施療子４を互いに近接離反させるために、アーム部材７を揺動させる揺動機構２０が設けられている。
【００１５】
なお、以降、図面に付した上下左右方向の印を基に、装置の説明を進める。例えば、図２の紙面左側を美容マッサージ機１を説明する場合の右側、図２の紙面右側を美容マッサージ機１を説明する場合の左側とする。また、本体部２の中心から使用者Ｍ側に向かう側（施療子４側）を美容マッサージ機１を説明する際の前側、使用者Ｍから離れる方向に向かう側を美容マッサージ機１を説明する際の後側とする。さらに、図２の紙面上下方向を美容マッサージ機１を説明する場合の上下方向とする。この上下方向は、図８の紙面貫通方向と一致する。
【００１６】
次に、本発明の美容マッサージ機１を構成する本体部２、アーム部材７、施療子４、揺動機構２０について説明する。
図２及び図３に示すように、本体部２は、上下方向に沿って長尺棒状に形成されており、使用者Ｍが握って使用できる程度の太さ及び長さを備えている。本体部２の上側は、下側より太く形成されており、この上側には上述したアーム部材７が左右に並んで１対設けられている。
【００１７】
図３に示すように、本体部２の上側には、略水平方向に沿って略長孔形状に開口する開口部３が形成されている。この開口部３は、左右にそれぞれ１箇所ずつ形成されていて、後述するアーム部材７は、この開口部３を介して本体部２の内側から外側まで延設されていて、開口部３に沿って左右に移動可能となっている。
また、本体部２の下側には、上側に比べて細径に形成された把持部２ａが形成されており、把持部２ａを握って片手で美容マッサージ機１を使用できるようになっている。把持部２ａの表面（例えば、前面）には、揺動機構２０を始動したり停止させたりするボタンやインジケータ（共に図示略）などが設けられており、把持部２ａを握ったまま、例えば親指で美容マッサージの操作を行うことができるようになっている。
【００１８】
図３及び図８に示すように、アーム部材７は、上述した左側の開口部３と右側の開口部３とのそれぞれから、外方に向かって突出状に配備された棒状の部材であり、左右の開口部３に対応して左右に並んで一対設けられている。これら一対のアーム部材７の伸長方向は、上方から見た場合に、先端に行くに従って互いに離れるように広角に取り付けられている。
【００１９】
図４、図８に示す如く、このアーム部材７は、本体部２の上側（反把持部側）から前方（使用者Ｍ側）に向かって突出状に設けられた第１アーム７ａと、第１アーム７ａの先端側から屈曲状に延び且つ施療子４を回転自在に支持する第２アーム７ｂと、を有している。これらの第１アーム７ａと第２アーム７ｂとは、互いに交差角θで交差しており、この第２アーム７ｂの先端（アーム部材７の先端）に施療子４が回転自在に支持されている。また、施療子４は、第２アーム７ｂの先端から着脱自在となっている。
【００２０】
具体的には、これら第１アーム７ａと第２アーム７ｂとは、９０°より大きく１８０°未満の交差角θで屈曲している。右側のアーム部材７は、本体部２の内部（後述する揺動機構２０の連結部材２５）から前方に向かって真っ直ぐ伸び、右側の開口部３を出たところでやや右方に向かって屈曲しており、この屈曲した部分より根本側が第１アーム７ａ、また屈曲した部分より先端側が第２アーム７ｂとされている。本実施形態の場合、交差角θ＝約１６０°とされている。
【００２１】
また、左側のアーム部材７も、本体部２の内部から前方に向かって真っ直ぐ伸び、左側の開口部３を出たところでやや左方に向かって屈曲している。右側のアーム部材７同様に、第１アーム７ａと第２アーム７ｂとの交差角θ＝約１６０°とされている。
つまり、上述した左右一対のアーム部材７は、本体部２の左右方向の中央を通る前後に伸びる中心線を挟んで互いに線対称になるように配備されている。図８に示すように、左右一対のアーム部材７は、それぞれ駆動モータ２８（ウォームギア２９）よりやや左方向又は右方向を向く前方に突出するように配備される。
【００２２】
このような交差角θで第１アーム７ａと第２アーム７ｂとを交差させれば、一対の施療子４の間隔が狭い場合であっても、本体部２に収容された揺動機構２０の回転駆動力を一対の施療子４に確実に伝達することができ、コンパクトな揺動機構２０でありながら一対の施療子４を左右に大きく揺動させることが可能となる。
また、それぞれのアーム部材７は、鋼などの金属を用いて断面が円形の長尺棒状に形成されており、先端には施療子４（図例では、球状の部材）が着脱自在に装着される。詳しくは後述するが、アーム部材７の先端部（第２アーム７ｂの先端部）には周溝７ｃ（径小部）が形成されており、この周溝７ｃに嵌着部５が係合することで、アーム部材７に施療子４が回転自在に取り付くこととなる。
【００２３】
図２や図３に示すように、施療子４（マッサージローラ部）は、顔面の皮膚に接触する面が曲面状に形成された部材であり、曲面状に形成された表面を皮膚に押し当てつつ転動させることで美容マッサージを可能とする部材である。施療子４には、図例にあるような球形状の他、円筒形状や卵形状などを採用しても良い。
施療子４の表面は、皮膚を傷つけることがないように、樹脂コート剤などでなめらかにコートされている。また、施療子４の表面には、施療子４が顔面の皮膚に密着性良く接触して、施療子４間に皮膚が挟み込まれるように、複数のディンプルが形成されている。
【００２４】
なお、化粧品や皮脂による施療子４の滑りをさらに抑制するために、施療子４の表面の一部または前面をシリコンゴムなどの滑り止めシートで被覆してもよい。また、施療子４の表面には、ディンプルに変えて、施療子４の表面に突起や溝などを形成して、顔面に対するマッサージ効果を高めても良い。
図４に示すように、施療子４の外周囲には、上述したアーム部材７の先端を挿し込み可能な取付孔６が設けられている。この取付孔６は、挿し込み方向の入側がアーム部材７の外径より大きな口径に形成されており、また奥側がアーム部材７の外径とほぼ等しい口径に形成されており、取付孔６の奥まで挿し込んだ際にアーム部材７を固定できるようになっている。また、取付孔６の内部（挿し込み方向の中途の位置）には、アーム部材７に形成された周溝７ｃと係合して施療子４をアーム部材７の先端に嵌着する嵌着部５が設けられている。施療子４の取付孔６の開口側は、施療子４（アーム部材７）の揺動を妨げないように平面にカットされていてもよい。
【００２５】
図４に示すように、嵌着部５は、施療子４の内部に設けられており、アーム部材７の周溝７ｃ（径小とされてなる窪み）に嵌着片５ａを押し込むことにより、施療子４をアーム部材７の先端に装着するものである。施療子４内の嵌着部５は、円筒形状に形成された部材であり、嵌着部５の軸心方向の中途部よりやや上側（アーム部材７の先端側）に略三角形状の嵌着片５ａが内面を向くように形成されている。嵌着片５ａがアーム部材７の周溝７ｃに面接触して嵌り込むことで、アーム部材７が固定されて施療子４の抜け止めを可能としている。なお、嵌着片５ａは、アーム部材７の周溝７ｃに対応する形状であって、例えばその周溝７ｃが矩形形状であれば、矩形形状に対応した形状にすればよい。
【００２６】
つまり、取付孔６の奥までアーム部材７の先端を挿し込み、アーム部材７の周溝７ｃが嵌着片５ａと同じ位置までアーム部材７の先端が押し込まれると、略三角形状の嵌着片５ａがアーム部材７の周溝７ｃ内に押し込まれて面接触し、施療子４をアーム部材７の先端に位置決めすることが可能となり、施療子４をアーム部材７の先端に装着することができる。
【００２７】
一方、施療子４を上述した取付方向とは逆方向に向かって引き抜くと、嵌着片５ａが周溝７ｃからずれるように押し出され、嵌着部５による嵌着が外れて、施療子４をアーム部材７の先端から容易に引き抜くことが可能となる。
次に、本発明の美容マッサージ機１の特徴であるアーム部材７を揺動させて、良好な美容マッサージ効果を得ることのできる揺動機構２０について、詳しく説明する。
【００２８】
図５〜図８に示すように、揺動機構２０は、美容マッサージ機１の本体部２の内部に設けられていて、施療子４が装着されたアーム部材７を揺動運動させている。揺動機構２０により施療子４同士が互いに近接したり離反したりすることで、顔面の皮膚や筋肉が挟み込まれてマッサージされ、顔面の血行改善や老廃物の排出が助長される。その結果、顔面をスリムに整えたり、顔面を健康的な肌にするといった高い美容効果を得ることが可能となる。
【００２９】
図５〜図８に示すように、揺動機構２０は、美容マッサージ機１の本体部２の内部に設けられている。この揺動機構２０は、左右一対備えられたアーム部材７にそれぞれ配備されている。
それ故、以下の説明では、左側の揺動機構２０に着目して構造を精説する。右側の揺動機構２０は、左側の揺動機構２０を左右反転した構成となっている。
【００３０】
まず、揺動機構２０は、駆動モータ２８（電動モータ）によって回転駆動される回転駆動軸２１と、回転駆動軸２１の回転運動をアーム部材７の揺動運動に変換する運動変換部２２と、を備えている。加えて、この揺動機構２０には、本体部２の内部に収容された駆動モータ２８と、この駆動モータ２８の出力軸の先端に連結されたウォームギア２９と、ウォームギア２９に噛合するウォームホイール３０とが備えられている。
【００３１】
駆動モータ２８は、出力軸の軸心が上方向を向くように配備され、出力軸の先端に連結されたウォームギア２９を回転させている。ウォームホイール３０は、本体部２の左側に配備された回転駆動軸２１と同軸になるように回転駆動軸２１の中央部に取り付けられており、駆動モータ２８で発生した回転駆動力をウォーム機構を介して伝達することにより回転駆動軸２１を回転できるようになっている。
【００３２】
図６〜図８に示すように、回転駆動軸２１（左側の回転駆動軸２１）は、平面視で本体部２中央の前後方向を向く中心線より左側に備えられ、軸心が前方の左斜め方向を向くように配備されている。言い換えれば、回転駆動軸２１は、軸方向の中央部に配備されたウォームホイール３０を挟んで左斜め前方向と右斜め後方向との双方に伸びており、ウォームホイール３０の両側近傍（前後側）に配備された１組の軸受部２７によって、回転自在に支持されている。この回転駆動軸２１は、前方側の離間距離が後方側の離間距離より大きくなるように備えられ、平面視Ｖ字型になるように一対配備されている。
【００３３】
なお、上述した駆動モータ２８、ウォームギア２９、ウォームホイール３０は、ギアボックス３１に収容されている。このギアボックス３１の前側には、駆動モータ２８の回転駆動を揺動運動に変換してアーム部材７を揺動させる運動変換部２２が配備されている。
運動変換部２２は、左右一対に設けられており、回転駆動軸２１と同軸で回転するボス部２３と、一方側端部がボス部２３の径外方向にオフセットされた位置で回転駆動軸２１と平行な軸心回りに回動自在に設けられ、且つ他方側端部に第１アーム７ａの基端部が嵌り込んでいる連結部材２５と、ボス部２３の回転運動に伴うアーム部材７の供回りを抑制する供回り止め部２６と、を有している。
【００３４】
詳しくは、ボス部２３は、回転駆動軸２１に備えられているウォームホイール３０の前方側に備えられている軸受部２７のさらに前方、すなわち回転駆動軸２１の前端部に配備されている。ボス部２３に回転駆動軸２１の前端部が嵌合して、固着している。
ボス部２３は、回転駆動軸２１が嵌合するための開口が形成され、回転駆動軸２１の前端部が嵌り込むようになっている。ボス部２３の外周面には、嵌合された回転駆動軸２１が空転するのを防止するための貫通孔が一方側の端面から他方側の端面にかけて径方向に穿孔されている。また、回転駆動軸２１の外周面にも、この貫通孔に対応するほぼ同径の貫通孔が穿孔されている。これらの貫通孔を同軸心の円筒にして、その円筒に円柱状乃至は円筒状のピンを嵌め込むことで、ボス部２３と回転駆動軸２１が同時に回転するようになっている。
【００３５】
一方、ボス部２３の前面側（開口側の反対側）には、ボス部２３（回転駆動軸２１）の回転運動を、後述する連結部材２５に伝達する伝達軸２４が形成されている。
図６に示すように、伝達軸２４は、短尺の円柱部材であって、ボス部２３の前面側から前方に向かって立設されている。伝達軸２４の外周面には、略円板形状で無端状の軌道（カム面）が形成されている。伝達軸２４は、ボス部２３（回転駆動軸２１）の軸心に対して径外方向にオフセットされており、ボス部２３の回転軸心の周りを周回する（偏心した回転運動）ように回転する。また、平面視で、伝達軸２４の外周面はボス部２３の外周面に内接する位置関係とされている。この伝達軸２４には、連結部材２５の一方端側が回動自在に嵌り込むようになっている。なお、伝達軸２４の前方側の端面には、伝達軸２４から連結部材２５が外れないようにするための締結具３２（締結ネジ）が設けられている。
【００３６】
図５〜図７に示すように、連結部材２５は、ボス部２３の前面側に配備されており、ボス部２３の偏心回転運動を左右往復運動に変換してアーム部材７に伝達している。連結部材２５は、略水平方向を向くように配備された略長方形状の板部材であって、その両端側に孔部が２つ穿孔されている。この孔部の一方側を第１孔部２５ａとし、第１孔部２５ａの内径は伝達軸２４の外径とほぼ同径とされ、伝達軸２４に対して摺動しつつ回動可能に嵌合されるようになっている。一方、孔部の他方側を第２孔部２５ｂとし、第２孔部２５ｂの内径は第１アーム７ａ（アーム部材７）の外径とほぼ同径とされ、第１アーム７ａが貫通して嵌合されるようになっている。第２孔部２５ｂは、第１孔部２５ａに隣接するように配備され、第１孔部２５ａより本体部２内側に形成されている。
【００３７】
連結部材２５の第２孔部２５ｂの外周面には、嵌合された第１アーム７ａが空転するのを防止するための貫通孔が一方側の端面から他方側の端面にかけて穿孔されている。また、第１アーム７ａの外周面にも、この貫通孔に対応するほぼ同径の貫通孔が穿孔されている。これらの貫通孔を同軸心の円筒にして、その円筒に円柱状乃至は円筒状のピンを嵌め込むことで、連結部材２５と第１アーム７ａが同時に動くようになっている。
【００３８】
つまり、運動変換部２２を平面視した場合、左右方向で最外側には、ボス部２３が設けられ、そのボス部２３に設けられた伝達軸２４から内側を向くように連結部材２５が略水平方向に延び、連結部材２５の反ボス部側にアーム部材７の基端が取り付けられることとなっている。
このような構成のもと、連結部材２５は、第１孔部２５ａ側が伝達軸２４の偏心回転運動により左右方向に動作すると共に、上下方向にも動作している。この動作によって、連結部材２５は回転運動を揺動運動に変換して第１アーム７ａに伝達するようになっている。
【００３９】
連結部材２５の後側には、ボス部２３に対する第１アーム７ａの供回りを抑制して、第１アーム７ａを左右方向に揺動させる供回り止め部２６が配備されている。
供回り止め部２６は、ギアボックス３１の前面に一体的に形成されており、連結部材２５から突出した第１アーム７ａの基端部が摺動自在に嵌り込む案内レール２６ａを有している。案内レール２６ａは、前方に向かって開口すると共に、ボス部２３の径外方向（左右方向で内側）を向くように長く形成されている。案内レール２６ａの開口の幅は、第１アーム７ａの外径とほぼ同じ長さとされており、第１アーム７ａを上下方向に揺動しないようになっている。
【００４０】
案内レール２６ａを形成する上下壁面には、上下一対の案内凸条部２６ｂが形成されており、第１アーム７ａの基端部には、この案内凸条部２６ｂに嵌り込む切り欠き部７ｄが形成されている。形成された切り欠き部７ｄによって、第１アーム７ａの基端部は、案内凸条部２６ｂから離脱することなく案内レール２６ａに沿って左右方向に移動可能に係合している。
【００４１】
このように、供回り止め部２６の案内レール２６ａに第１アーム７ａを嵌め込めば、第１アーム７ａが上下方向に揺動を規制された状態で供回り止め部２６の案内レール２６ａに沿ってのみ摺動することとなり、第１アーム７ａに対して交差角θを有するように配備された第２アーム７ｂの先端に取り付けられた施療子４を若干上下方向に動作させつつ、左右方向に沿って揺動させることが可能となる。
【００４２】
なお、右側の揺動機構２０は、左側の揺動機構２０と同様であるので説明は省略する。
次に、本発明の美容マッサージ機１の揺動機構２０の動作について説明する。
上述した揺動機構２０を作動させるに際しては、まず駆動モータ２８を駆動させて出力軸を回転させる。そうすると、駆動モータ２８の出力軸の先端に連結されたウォームギア２９が回転し、そのウォームギア２９に噛合したウォームホイール３０が回転する。この駆動モータ２８で発生した回転駆動力を用いて回転駆動軸２１が回転する。
【００４３】
このようにして回転駆動軸２１が回転すると、この回転駆動軸２１に固着したボス部２３も回転する。また、ボス部２３に立設された伝達軸２４も回転するようになる。このとき、伝達軸２４のカム面が連結部材２５の第１孔部２５ａの内周面に摺動することで、伝達軸２４はボス部２３の回転軸心の周りを周回する軌道を描く（偏心した回転運動）ように回転する。そして、この伝達軸２４に連結された連結部材２５は、伝達軸２４の回転運動を往復揺動運動に変換して、第２孔部２５ｂに固着されている第１アーム７ａに伝達する。第１アーム７ａは、連結部材２５のよって揺動することとなり、第２アーム７ｂの先端に取り付けられた施療子４（マッサージローラ部）も揺動する。
【００４４】
このとき、第１アーム７ａは、連結部材２５の後側に設けられている供回り止め部２６の案内レール２６ａによって、上下方向の運動が抑制されて左右方向の運動のみとなり、第１アーム７ａの左右方向の運動によって、第２アーム７ｂの先端に取り付けられた施療子４を揺動させている。
本発明の美容マッサージ機１に配備された左右一対施療子４は、それぞれの第１アーム７ａの揺動によって、互いに近接離反を行うようになる。このような揺動運動を行うことで、左右の施療子４の間に顔面を挟み込んで頬を揉む、顔面のマッサージを行うことができる。
【００４５】
上述した本発明の美容マッサージ機１を用いて美容マッサージを行えば、使用者Ｍがマッサージローラを顔面に押し当てて、使用者Ｍ自身がマッサージローラを動作させた場合に比べて、顔面に対して効果的なマッサージを行うことができる。それゆえ、このマッサージ効果によって、顔面の皮膚が引き締められると共に皮膚下の血行が促進され、顔面のむくみや老廃物が取り除かれるので、顔面をスリムに整えたり、健康的で美しい肌を得ることが可能となる。
【００４６】
また、本発明の美容マッサージ機１では、第１アーム７ａと第２アーム７ｂとが交差角θで交差状に屈曲しているので、美容マッサージ機１の本体部２を顔面に沿って移動させた場合、施療子４は互いが異方向で斜め方向に動くようになり、顔面の皮膚を引き集めたり引き広げたりするようなマッサージを付与することもできる。このマッサージによって、更に皮膚下の血行が促進されるなどの効果的なマッサージが実現できる。
【００４７】
図８に示すように、施療子４は、アーム部材７に配備され、アーム部材７は第１アーム７ａと第２アーム７ｂとが交差角θで交差状に屈曲する構成となっている。また、揺動機構２０、及びギアボックス３１は、平面視で本体部２の中央より外方斜めを向くように一対配備されており、本体部２の幅（左右）方向及び前後方向にコンパクトにすることができる。ゆえに、このような揺動機構２０を取り入れることで、美容マッサージ機１を片手で把持できるほど、コンパクトにすることができる。
【００４８】
さらに、上述したボタンやインジケータを用いて施療子４の間隔を調整可能なように構成すれば、顔面の大きさが異なる使用者Ｍや顔面の彫り具合が異なる使用者Ｍに対しても、施療子４を的確に押し当てて美容マッサージを行うことが可能となる。
［第２実施形態］
次に、本発明に係る美容マッサージ機１の第２実施形態について、説明する。
【００４９】
第２実施形態の美容マッサージ機１は、第１実施形態に備えられた揺動機構２０とは、異なる揺動機構５０を有しており、他の構成、奏する作用効果は、第１実施形態と略同じものとなっている。
以下、第２実施形態の美容マッサージ機１の揺動機構に関して、説明を進める。第２実施形態の美容マッサージ機１の揺動機構５０は、美容マッサージ機１の本体部２の内部に設けられて回転駆動される回転駆動軸５１と、回転駆動軸５１の回転運動をアーム部材７の揺動運動に変換する運動変換部５２と、を備えている。
【００５０】
具体的には、図９及び図１０に示すように、揺動機構５０は、本体部２の内部に収容された駆動モータ２８と、この駆動モータ２８の出力軸の先端に連結されたウォームギア２９と、ウォームギア２９に噛合するウォームホイール５８とを有している。このウォームホイール５８は、左右方向に軸心を向けて配備された回転駆動軸５１と同軸になるように取り付けられており、駆動モータ２８で発生した回転駆動力をウォーム機構を介して伝達することにより回転駆動軸５１を回転できるようになっている。
【００５１】
図９及び図１０に示すように、回転駆動軸５１は、軸方向の中央部に配備されたウォームホイール５８を挟んで左方と右方との双方に伸びており、ウォームホイール５８のすぐ両側に配備された左右１組の軸受部６０で、左右方向を向く回転軸回りに回転自在に支持されている。すなわち、回転駆動軸５１は、軸方向の中央部で本体部２に対して回転自在に支持されている。
【００５２】
運動変換部２２は、左右一対に設けられており、回転駆動軸５１と同軸で回転するボス部５３と、回転駆動軸５１の回転を揺動運動に変換する環状嵌合部５５と、ボス部５３の回転運動に伴うアーム部材７の供回りを抑制する供回り止め部５６と、を有している。
ボス部５３は、右側の軸受部６０のさらに右側の回転駆動軸５１、及び左側の軸受部６０のさらに左側の回転駆動軸５１にそれぞれ設けられている。ボス部５３は、略円板形状で無端状の軌道（カム面）が外周面に形成されているカム部材５３ａを有している。このカム部材５３ａにカム面として作用する軌道が形成されている。この軌道は、回転駆動軸５１の軸心を中心とする円形の軌道に対して傾いて設置された円軌道となっている。
【００５３】
例えば、図１０の右側のボス部５３であれば、ボス部５３の右側がカム部材５３ａである。このカム部材５３ａの端面に隣接する外周面には、カム面が形成されている。このカム面は、回転駆動軸５１の軸心を中心とする円形の軌道に対して左側（中央側）に傾いた軌道を備えている。カム部材５３ａのカム面には、ベアリング（図示略）が摺動自在に嵌合され、環状嵌合部５５が回動自在に嵌め込まれている。なお、ボス部５３は、回転駆動軸５１に相対回転できないように固定されている。
【００５４】
環状嵌合部５５は、ボス部５３のカム面上に嵌り込んだベアリング（図示略）に外嵌しており、ボス部５３の回転を揺動運動に変換して、上述したアーム部材７を揺動させる構成とされている。
図９に示すように、環状嵌合部５５は、左右方向の側面視で略環状に形成されており、中央にはボス部５３の大きさの円状の開口（図示略）が左右方向に向かって開口するように形成されている。この開口は、カム面上に嵌め込まれたベアリングの外周面を外嵌している。そのため、ボス部５３と環状嵌合部５５とが相対回動自在になっている。この環状嵌合部５５の外周面には、上述した第１アーム７ａの基端側が固定状態で取り付けられている。この第１アーム７ａは環状嵌合部５５の外周面から上方（外方）に向かって突出するように伸びており、上下方向の中途側に供回り止め部５６が取り付けられている。
【００５５】
供回り止め部５６は、ボス部５３に対する環状嵌合部５５の供回りを抑制するものであり、上述したウォームホイール５８のギアボックス５９に固定されている。供回り止め部５６は、前方（使用者Ｍ側）から見た場合に、前方に向かって開口すると共に左右方向に長く形成された長孔５７を有している。この長孔５７は、第１アーム７ａが挿通（貫通）可能な程度の幅を上下方向に有しており、第１アーム７ａを上下方向に揺動しないように固定可能となっている。また、この長孔５７は、上下方向の幅よりも左右方向に長尺に形成されており、左右方向、言い換えれば回転駆動軸５１の軸心方向に沿ってある程度の揺動が許容されている。それゆえ、供回り止め部５６の長孔５７に第１アーム７ａを貫通させれば、第１アーム７ａが上下方向に揺動を規制された状態で供回り止め部５６の長孔５７に沿ってのみ揺動し、第２アーム７ｂの先端に取り付けられた施療子４を左右方向に沿って揺動することが可能となる。
【００５６】
次に、第２実施形態の美容マッサージ機１の揺動機構５０の動作について説明する。
上述した揺動機構５０を作動させるに際しては、まず駆動モータ２８を駆動させて出力軸を回転させる。そうすると、駆動モータ２８の出力軸の先端に連結されたウォームギア２９が回転し、ウォームギア２９に噛合したウォームホイール５８が回転して、駆動モータ２８で発生した回転駆動力を用いて回転駆動軸５１が回転する。
【００５７】
このようにして回転駆動軸５１が回転すると、この回転駆動軸５１に固着したボス部５３も回転する。ここで、環状嵌合部５５、上述したようにボス部５３のカム面にベアリングを介して摺動自在に嵌合しているものの、供回り止め部５６によりボス部５３と一体に回転しない構成とされている。それゆえ、環状嵌合部５５はボス部５３と一体に回転することはない。
【００５８】
一方、この環状嵌合部５５はボス部５３のカム面にベアリングを介して摺動自在に連結しており、カム面は回転駆動軸５１の軸心を中心とする円形の軌道に対して傾いて形成されているので、ボス部５３を回転させると環状嵌合部５５が左右方向に揺動し、環状嵌合部５５の外周面に取り付けられたアーム部材７も左右方向に揺動する。
なお、左側のボス部５３のカム面と、右側のボス部５３のカム面とは、傾斜角度は等しいが、左側のボス部５３のカム面と、右側のボス部５３のカム面との傾斜方向は左右で対称となっている。
【００５９】
それゆえ、上述した供回り止め部５６を設けて環状嵌合部５５の回転を阻止しておけば、左側の第１アーム７ａが右方向に沿って揺動した際には、右側の第１アーム７ａが左方向に揺動し、左側の第１アーム７ａが左方向に沿って揺動した際には、右側の第１アーム７ａが右方向に揺動して、左右の施療子４が互いに近接離反をおこなうようになる。その結果、左右の施療子４の間に顔面を挟み込んで、顔面のマッサージを行うことができる。
【００６０】
なお、本発明の美容マッサージ機１に関しては、上記実施の形態に限定されるものではない。
例えば、美容効果を促進させるために、左右一対の施療子４間にμオーダの微弱な電流（直流でもよく、交流でもよい）を流すことは非常に好ましい。
また、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【符号の説明】
【００６１】
１  美容マッサージ機
２  本体部
２ａ  把持部
３  開口部
４  施療子（マッサージローラ部）
５  嵌着部
５ａ  嵌着片
６  取付孔
７  アーム部材
７ａ  第１アーム
７ｂ  第２アーム
７ｃ  周溝（径小部）
７ｄ  切り欠き部
２０  揺動機構
２１  回転駆動軸
２２  運動変換部
２３  ボス部
２４  伝達軸
２５  連結部材
２５ａ  第１孔部
２５ｂ  第２孔部
２６  供回り止め部
２６ａ  案内レール
２６ｂ  案内凸条部
２７  軸受部
２８  駆動モータ（電動モータ）
２９  ウォームギア
３０  ウォームホイール
３１  ギアボックス
３２  締結具
５０  揺動機構（第２実施形態）
５１  回転駆動軸
５２  運動変換部
５３  ボス部
５３ａ  カム部材
５５  環状嵌合部
５６  供回り止め部
５７  長孔
５８  ウォームホイール
５９  ギアボックス
６０  軸受部
Ｍ  使用者
【図１】
2015000228.tif 000003
【図２】
2015000228.tif 000004
【図３】
2015000228.tif 000005
【図５】
2015000228.tif 000006
【図６】
2015000228.tif 000007
【図７】
2015000228.tif 000008
【図８】
2015000228.tif 000009
【図９】
2015000228.tif 000010
【図１０】
2015000228.tif 000011
【図４】
2015000228.tif 000012